(57)【要約】【課題】現場での取り付け作業が容易で、リフォーム等において既設の障子に容易に取り付けることができ、しかも、小開口時における障子の拘束力に優れた小開口制限機構を有するロック装置、及びそのロック装置を備えた建具を提供する。【解決手段】ハンドルの操作により移動可能に構成される連動バー３０に設けられたロックピン３２が、対向配置されたロック部材１の係合位置と非係合位置との間を移動することにより障子を施錠・解錠するロック装置Ａにおいて、連動バーおよびロック部材の一方に設けられた係合ピン３３と、他方に設けられ、係合ピンが係合可能な長穴１５が形成されるとともに、障子の小開口の開口長に対応した長さのアーム片１０ｂを有するアーム部材１０と、をさらに備えている。【選択図】図２
2015135025.tif 000002
【特許請求の範囲】
【請求項１】
ハンドルの操作により移動可能に構成される連動バーに設けられたロックピンまたはロック部材が、対向配置されたロック部材またはロックピンの係合位置と非係合位置との間を移動することにより障子を施錠・解錠するロック装置において、
前記連動バーおよび前記ロック部材の一方に設けられた係合ピンと、
前記連動バーおよび前記ロック部材の他方に設けられ、前記係合ピンが係合可能な長穴が形成されるとともに、前記障子の小開口の開口長に対応した長さのアーム片を有するアーム部材と、をさらに備えていることを特徴とするロック装置。
【請求項２】
前記係合ピンが前記連動バーに一体的に設けられ、
前記アーム部材が前記ロック部材に一体的に設けられていることを特徴とする請求項１に記載のロック装置。
【請求項３】
枠体内に開閉自在な障子が設けられる建具において、
前記枠体及び障子に、請求項１または２に記載のロック装置が組み込まれていることを特徴とする建具。
【請求項４】
前記アーム部材が、前記障子の戸先と、該戸先に対向する建具の枠体との間を連結する位置に設けられていることを特徴とする請求項３に記載の建具。
【発明の詳細な説明】
【技術分野】
【０００１】
本発明は、障子の開状態を小開口に制限する機構を備えたロック装置、およびそのロック装置を備えた建具に関する。
【背景技術】
【０００２】
従来から、障子の開状態を小開口に制限する機構を備えた縦すべり出し窓がある（例えば、特許文献１参照）。特許文献１の小開口制限機構は、枠体の下枠に設けられる枠プレート、障子の下框に設けられる障子プレート及びこれら両プレート間に連結されるアームを有している。そして、そのアームには、一端側にピンでヒンジ結合され、他端側に第一係止部を有するロックアームが連結されている。また、障子プレートには、ロックアームの第一係止部に係合自在な第二係止部が備えられている。
【０００３】
上記構成からなる小開口制限機構は、ロックアームに設けられたスイッチの操作により、ロックアームの第一係止部と障子プレートの第二係止部とが係止又は解除される。そして、第一係止部と第二係止部とが係止状態にあるときは、障子が小開口状態で保持される。このように、小開口制限機構により障子を小開口状態で保持することができると、風による障子のあおり防止を図ることができたり、隣地境界に影響を及ぼすことなく障子の開閉を行うことができたりする。
【先行技術文献】
【特許文献】
【０００４】
【特許文献１】特開２００２−７０３９７号公報
【発明の概要】
【発明が解決しようとする課題】
【０００５】
しかしながら、従来の小開口制限機構は、リフォーム時等で既設の建具に付加しようとする場合、現場において多くの加工作業を必要とするため、後付けに不向きであるという問題があった。例えば、上記特許文献１に示される小開口制限機構を後付けしようとする場合、現場において既存の枠体や障子の框などに罫書や孔あけ等の加工が必要となるため、施工に時間や手間がかかるという問題があった。また、新規に小開口制限機構を備えた建具を製造する際にも、小開口制限機構を付加するために枠体や障子に別途加工が必要になり、生産効率が低下するという問題もあった。
【０００６】
本発明は、上述する問題点に鑑みてなされたもので、現場での取り付け作業が容易で、リフォーム等において既設の障子に容易に取り付けることができ、しかも、小開口時における障子の拘束力に優れた小開口制限機構を有するロック装置、及びそのロック装置を備えた建具を提供することを目的とする。
【課題を解決するための手段】
【０００７】
上記目的を達成するため、本発明に係るロック装置は、ハンドルの操作により移動可能に構成される連動バーに設けられたロックピンまたはロック部材が、対向配置されたロック部材またはロックピンの係合位置と非係合位置との間を移動することにより障子を施錠・解錠するロック装置において、前記連動バーおよび前記ロック部材の一方に設けられた係合ピンと、前記連動バーおよび前記ロック部材の他方に設けられ、前記係合ピンが係合可能な長穴が形成されるとともに、前記障子の小開口の開口長に対応した長さのアーム片を有するアーム部材と、をさらに備えていることを特徴としている。
また、前記係合ピンが前記連動バーに一体的に設けられ、前記アーム部材が前記ロック部材に一体的に設けられていてもよい。
【０００８】
上記発明によれば、連動バーおよびロック部材に、係合ピンおよびアーム部材を設けるだけで小開口機能を有するロック装置を実現することができる。また、連動バーおよびロック部材は、既存の建具にも備えられているため、既存の連動バーおよびロック部材を本発明にかかる係合ピンおよびアーム部材が設けられた連動バーおよびロック部材に交換するだけで、建具に小開口機能を付加することができる。また、新規に建具を製造する際にも、予め係合ピンおよびアーム部材が設けられた連動バーおよびロック部材を用意することができ、この連動バーおよびロック部材を枠体および障子に取り付けるだけで小開口機能を付加させることができる。つまり、新規に建具を製造する際に、建具の生産効率を低下させることなく、小開口機能を付加させることができる。
【０００９】
また、本発明に係る建具は、枠体内に開閉自在な障子が設けられる建具において、前記枠体及び障子に、上述したいずれかのロック装置が組み込まれていることを特徴としている。
【００１０】
上記発明によれば、連動バーおよびロック部材に、係合ピンおよびアーム部材を設けるだけで小開口機能を有するロック装置を実現することができる。また、連動バーおよびロック部材は、既存の建具にも備えられているため、既存の連動バーおよびロック部材を本発明にかかる係合ピンおよびアーム部材が設けられた連動バーおよびロック部材に交換するだけで、建具に小開口機能を付加することができる。また、新規に建具を製造する際にも、予め係合ピンおよびアーム部材が設けられた連動バーおよびロック部材を用意することができ、この連動バーおよびロック部材を枠体および障子に取り付けるだけで小開口機能を付加させることができる。つまり、新規に建具を製造する際に、建具の生産効率を低下させることなく、小開口機能を付加させることができる。
【００１１】
また、前記アーム部材が、前記障子の戸先と、該戸先に対向する建具の枠体との間を連結する位置に設けられていてもよい。
このように構成することにより、アーム部材が障子の戸先と枠体との間に設けられるため、強風等により障子に強い力が作用しても安定的に小開口状態を保持することができる。
【発明の効果】
【００１２】
本発明のロック装置および建具によれば、現場での取り付け作業が容易で、リフォーム等において既設の障子に容易に取り付けることができ、しかも、小開口時における障子の拘束力に優れた小開口制限機構を有するロック装置、及びそのロック装置を備えた建具を実現することができる。
【図面の簡単な説明】
【００１３】
【図１】本発明の実施形態に係るロック装置を備えた建具の斜視図である。
【図２】本発明の実施形態に係るロック装置の分解斜視図である。
【図３】（ａ）は、本発明の実施形態に係るロック装置のロック部材及びアーム部材の正面図、（ｂ）は、（ａ）のＸ−Ｘ線に沿う断面図である。
【図４】（ａ）〜（ｅ）は、本発明の実施形態に係るロック装置の動作説明図である。
【発明を実施するための形態】
【００１４】
以下、本発明に係る実施形態のロック装置および建具について、図面に基づいて説明する。なお、本発明は、この実施の形態により限定されるものではなく、また、下記の実施形態における構成要素には、当業者が置換可能かつ容易なもの、あるいは実質的に同一のものも含まれる。
【００１５】
図１に示すように、建具Ｔは、一般的な縦すべり出し窓であり、四方組みされた枠体Ｆ内に障子Ｗが組み込まれて構成されている。この建具Ｔは、枠体Ｆの下枠Ｆ１に設けられているオペレータハンドルＨの回動により、周知の縦すべり出し窓と同様に、障子Ｗの上下框とそれぞれ対向する枠体との間に設けられたアームに案内され、障子Ｗの一方側（図１では左側）の縦框Ｗ１を戸先として開閉できるように構成されている。そして、縦框Ｗ１に対向する枠体Ｆの縦枠Ｆ２には、障子Ｗを施錠又は解錠するためのロックハンドルＲが設けられている。
【００１６】
障子Ｗの一方側の縦框Ｗ１及び枠体Ｆの一方側の縦枠Ｆ２には、本発明の特徴をなす障子Ｗの小開口制限機構を有するロック装置Ａが設けられている。
【００１７】
以下、ロック装置Ａについて、図２の分解斜視図を用いて説明する。このロック装置Ａは、障子Ｗの縦框Ｗ１側に設けられるロック部材１と、枠体Ｆの縦枠Ｆ２側に設けられる連動バー３０とを備えている。ここで、ロック部材１にはアーム部材１０が一体化して設けられており、連動バー３０にはアーム部材１０に係合可能な係合ピン３３が設けられている。なお、ロック部材１と縦框Ｗ１との間には、寸法調整用のスペーサ２０が適宜配される。
【００１８】
ロック部材１は、ＳＵＳ等の鋼製からなり、幅が縦框Ｗ１の戸先側の幅よりも少し小さく（図３（ａ）参照）、長手方向（図３（ａ）の上下方向）に所定長さを有するロック片２を備えている。そして、このロック片２は、後述する連動バー３０に設けられるロックピン３２の頭部が移動できる深さの凹状に形成されているとともに、該ロックピン３２の頭部が移動可能な長穴３が長手方向に沿って形成されている。
【００１９】
ロック部材１に形成される長穴３は、ロックピンの３２の頭部が移動でき、該頭部が長穴３の上方に位置したときにロックピン３２の頭部と長穴３とが係合して障子Ｗを施錠できる大きさに形成されている。また、その長穴３の略下半分の一方側（図２において左側）はロック片２が切り欠かれ、障子Ｗを開ける際にロックピン３２の頭部がロック片２に干渉することなく通過できるように開口４が形成されている。さらにまた、このロック片２の長手方向の両側には、取付用のビスｂが挿通される貫通孔５ａ，５ｂが形成されている。
【００２０】
なお、障子Ｗが小開口制限機構を有しない場合、すなわち、小開口制限機構を有しない既設の障子Ｗの場合は、ロック片２のみが縦框Ｗ１に取り付けられている。
【００２１】
アーム部材１０は、ＳＵＳ等の鋼製の板材からなり、ロック片２に延設するように一体的に形成された取付片１０ａと、ＳＵＳ等の鋼製の板材からなるアーム片１０ｂとを備えている。
【００２２】
取付片１０ａは、幅がロック片２より若干幅狭で、長さが所定長さの長方形状に形成されている。また、この取付片１０ａの側面上方の一方側（図２において右側）には、該取付片１０ａの板材を折り返して形成されたストッパ１２が一体的に設けられている。このストッパ１２は、アーム部材１０の回動を規制するためのものである。
【００２３】
アーム片１０ｂは，幅がロック片２と略同じで、長さが障子Ｗの小開口時の開口長よりも少し長く形成されている。そして、このアーム片１０ｂの長手方向の一方側（図２において下側）において、アーム片１０ｂと取付片１０ａとが回動可能に連結されている。具体的には、取付片１０ａに形成された支軸１４にアーム片１０ｂが回動可能に取付けられ、さらに、取付片１０ａに対して付勢力を持って回動できるようにコイルバネ１３が支軸１４とアーム片１０ｂとの間に介装されている。なお、コイルバネ１３は、アーム片１０ｂが常時ストッパ１２に付勢状態で当接されるように取り付けられている。
【００２４】
このアーム片１０ｂの長手方向のほぼ中央位置から他方側（図２において上側）近くにかけて長穴１５が形成されている。この長穴１５の下側部分は、後述する係合ピン３３の頭部が移動可能な幅広部１５ａが形成されている。また、その幅広部１５ａから上側に向けて係合ピン３３の頭部が係合しながら移動可能な大きさの係合部１５ｂが形成されている。そして、その係合部１５ｂの先端側（図２において上側）で、長穴１５の軸心から少し偏芯した位置（図２において右側の位置）には、係合ピン３３の頭部の係合状態を解除可能な大きさ（係合ピン３３の頭部が通過できる大きさ）に形成された開放部１５ｃが形成されている。
【００２５】
幅広部１５ａが形成されている箇所のアーム片１０ｂの一方側（図２において左側）の辺には、取付片１０ａ側と反対方向に傾斜するとともに、その辺から突出するようにしてガイド片１６が一体的に設けられている。このガイド片１６により、障子Ｗを閉める際に、係合ピン３３の頭部をスムーズに長穴１５の幅広部１５ａへ案内することができる。
【００２６】
スペーサ２０は、例えば樹脂製の薄板材からなり、その全体的形状はロック片２の形状に合わせた略コ字状に形成されている。このスペーサ２０は、ロック部材１を障子Ｗに取り付ける際の寸法調整用の部材であり、実際には設けないこともあるし、ロック部材１と障子Ｗとの間に１枚以上配することもある。
【００２７】
図３（ａ）は、上記構成からなるアーム部材１０が一体化されたロック部材１をビスｂを用いて障子Ｗの縦框Ｗ１に取り付けた状態を示し、図３（ｂ）は、その図３（ａ）のＸ−Ｘ線に沿う断面図を示している。すなわち、図３（ａ）には、縦框Ｗ１にロック部材１を当接し、ビスｂ，ｂを用いてロック部材１を縦框Ｗ１にネジ止めした状態を示している。なお、図３（ａ）に示される矢印は、アーム部材１０のアーム片１０ｂにコイルバネ１３の付勢力以上の力が作用したときに、アーム片１０ｂが支軸１４を中心にして回動できることを示している。なお、図３においては、スペーサ２０は不図示とした。
【００２８】
次に、枠体Ｆの縦枠Ｆ２側に設けられる連動バー３０について説明する。図２に示すように、この連動バー３０は、バー本体３１、ロックピン３２、係合ピン３３及び駆動ピン３４を備えている。
【００２９】
バー本体３１は、アルミ等の金属製の長尺状の形材からなり、その短手方向（幅方向）の両側は、縦枠Ｆ２に形成されている図示しない係合部にそれぞれ係合できるように形成されている。また、バー本体３１の長手方向の両側には、バー本体３１が縦枠Ｆ２から脱落せずに、かつ、バー本体３１が縦枠Ｆ２に対してその長手方向に沿って移動（図２の実線の矢印参照）できるための係合部材（不図示）が取り付けられるように構成されている。そして、このバー本体３１の表面には、その長手方向に沿って、かつ、所定の間隔を保ってロックピン３２、係合ピン３３及び駆動ピン３４が設けられている。ロックピン３２及び係合ピン３３の間隔については後述する。
【００３０】
ロックピン３２は、軸部が障子Ｗの縦框Ｗ１側に設けられるロック部材１の長穴３に挿入でき、頭部がその長穴３に係合するように構成されている。また、係合ピン３３は、軸部がアーム部材１０に形成されている長穴１５に挿入でき、頭部が長穴１５の係合部１５ｂに係合しながら移動可能に構成され、かつ、その長穴１５の幅広部１５ａ及び開放部１５ｃの開口を頭部がそれぞれ通過できるように構成されている。この係合ピン３３は、ロックピン３２と同様に、バー本体３１に予め設けてられている。なお、この係合ピン３３は、バー本体３１にビスで後付けできるように構成してもよい。
【００３１】
駆動ピン３４は、図１に示されるロックハンドルＲの操作によって支軸３５を中心に回動する駆動レバー３６に形成された長穴３７に挿入されるように構成されている。つまり、ロックハンドルＲの回動により駆動レバー３６が図２に鎖線矢印で示されるように回動すると、バー本体３１が図２に実線矢印で示されるように、縦枠Ｆ２の長手方向に沿って上下動することができるように構成されている。
【００３２】
バー本体３１におけるロックピン３２及び係合ピン３３の取付間隔は、ロックピン３２がロック部材１の開口４に対向しているときに、係合ピン３３がアーム部材１０の幅広部１５ａに対向し、ロックピン３２がロック部材１の長穴３の上部に対向しているときに、係合ピン３３がアーム部材１０の係合部１５ｂに対向するように配されている。なお、このロックピン３２及び係合ピン３３の関係は、後述するロック装置Ａの動作説明で詳述する。
【００３３】
以下、上記構成からなるロック装置Ａの動作を図４（ａ）〜（ｅ）を用いて説明する。
【００３４】
（ａ）障子ロック状態（図４（ａ））
障子Ｗが閉じられていて、ロックハンドルＲがロック状態にされているとき（バー本体３１が上側に移動した状態）は、ロックピン３２の頭部がロック部材１の長穴３の上端に係合され、施錠される。なお、同時に、係合ピン３３の頭部がアーム部材１０の係合部１５ｂに係合されている。つまり、障子Ｗは、本来のロック部材１で施錠されるとともに、アーム部材１０によっても施錠され、二重に施錠される。
【００３５】
（ｂ）障子ロック解除（図４（ｂ））
ロックハンドルＲの解錠操作により、バー本体３１が下側に移動し、バー本体３１に設けられているロックピン３２及び係合ピン３３が下側に移動する（図４（ｂ）の矢印参照）。この移動により、ロックピン３２がロック部材１の長穴３の下方（開口４に対向する位置）に位置し、係合ピン３３がアーム部材１０の幅広部１５ａに位置して障子Ｗの施錠状態が解除される。
【００３６】
（ｃ）障子小開口開始（図４（ｃ））
障子Ｗの施錠が解除されると、その障子Ｗの開き動作が可能となる（図４（ｃ）の下側の矢印参照）。なお、本実施形態では、オペレータハンドルＨを回転させることにより障子Ｗが開放される。このとき、この障子Ｗの開き動作に合わせてアーム部材１０も移動するが、係合ピン３３の頭部がアーム部材１０の幅広部１５ａから係合部１５ｂに案内されながら移動する。すなわち、係合ピン３３の頭部が係合部１５ｂに係合された状態で障子Ｗが開くため、アーム片１０ｂが支軸１４を中心に回動しながら障子Ｗが開く（図４（ｃ）の上側の矢印参照）。
【００３７】
（ｄ）障子小開口停止状態（図４（ｄ））
障子Ｗの開き動作がさらに行われると（図４（ｄ）の下側の矢印参照）、係合ピン３３の頭部がアーム部材１０の係合部１５ｂの先端部に達してアーム片１０ｂのそれ以上の回動が停止される（図４（ｄ）の上側の矢印参照）。これにより、障子Ｗの小開口状態が保持される。この小開口状態における障子の拘束力は、障子Ｗの戸先と縦枠Ｆ２との間で行われるので、強風等により障子Ｗに強い力が作用しても安定的に小開口状態が保持される。
【００３８】
（ｅ）障子小開口ロック解除（図４（ｅ））
障子Ｗの小開口状態から障子Ｗをさらに開く必要があるときは、アーム片１０ｂのガイド片１６を手にして長穴１５の開放部１５ｃに係合ピン３３の頭部を移動させると（図４（ｅ）の実線矢印参照）、開放部１５ｃから係合ピン３３の頭部を外すことができる。アーム片１０ｂは、手を離すとコイルバネ１３により回動し（図４（ｅ）の鎖線矢印参照）、ストッパ１２に当接される位置に復帰する。アーム部材１０が係合ピン３３から開放されることにより、障子Ｗをさらに開くことが可能となる。
【００３９】
開かれた障子Ｗを閉じるとき、又は小開口時から障子Ｗを閉じるときは、オペレータハンドルＨを操作して障子Ｗを閉じる。その際、ロックピン３２及び係合ピン３３とロック部材１及びアーム部材１０との位置関係は、図４（ｂ）に示されるようになる。その後、ロックハンドルＲを操作することにより、ロックピン３２及び係合ピン３３を図４（ａ）に示される位置に移動させることで、障子Ｗを施錠することができる。
【００４０】
上記構成からなるロック装置Ａは、ロック部材１に一体化してアーム部材１０を設けるとともに、連動バー３０にロック部材１用のロックピン３２の他にアーム部材１０用の係合ピン３３を設けるようにしているため、簡単な機構により、小開口機能を有するロック装置を実現することができる。しかも、アーム部材１０はロック部材１に一体化されており、かつ、係合ピン３３は連動バー３０に設けられているため、リフォーム時に既存のロック部材と連動バーを本実施形態のロック部材１と連動バー３０に付け替えるだけで既存の建具Ｔに容易に小開口機能を付加することができる。さらに、アーム部材１０は、障子Ｗの戸先と縦枠Ｆ２との間を連結するように配されているため、強風等により障子Ｗに強い力が作用しても安定的に小開口状態を保持することができる。
【００４１】
以上、添付図面を参照しながら本発明の好適な実施形態について説明したが、本発明は、上記実施形態に限定されないことは言うまでもない。上述した実施形態において示した各構成部材の諸形状や組み合わせ等は一例であって、本発明の主旨から逸脱しない範囲において設計要求等に基づき種々変更可能である。
【００４２】
例えば、本実施形態は、オペレータハンドルＨを用いた建具Ｔのロック装置Ａの事例を示したが、グレモンハンドルやカムラッチハンドルを用いた建具の場合であってもよい。なお、グレモンハンドルの場合は、アーム部材１０が一体化されたロック部材１は枠体Ｆ側に設けられ、連動バー３０は障子Ｗ側に設けられる。
【００４３】
また、本実施形態では、ロック部材１とアーム部材１０の取付片１０ａとを一体的に形成したが、例えば、取付片１０ａにおけるロック部材１の貫通孔５ａに対応した位置にビスｂ用の貫通孔を形成し、ロック部材１とアーム部材１０とを別部品にて構成してもよい。
【００４４】
また、本実施形態では、ロック部材１とアーム部材１０とを一体的に形成し、連動バー３０に係合ピン３３を設けた場合で説明したが、ロック部材１に係合ピン３３を設け、連動バー３０にアーム部材１０を設けた構成でもよい。
また、本実施形態では、連動バー３０にロックピン３２を設け、障子Ｗの縦框Ｗ１にロック部材１を設けた場合で説明したが、連動バー３０にロック部材１を設け、障子Ｗの縦框Ｗ１にロックピン３２を設けた構成でもよい。
【００４５】
また、本実施形態では、縦すべり出し窓にロック装置Ａを配したが、横すべり出し窓やその他のロック装置を備えた建具にも採用できることは言うまでもない。
【００４６】
さらに、本実施形態では、縦すべり出し窓の戸先側にロック装置Ａを設けたが、ロック装置Ａは戸先側以外の場所に設けるように構成してもよい。
【符号の説明】
【００４７】
１…ロック部材，２…ロック片，３…長穴，４…開口，５ａ，５ｂ…貫通孔，１０…アーム部材，１０ａ…取付片，１０ｂ…アーム片，１１…貫通孔，１２…ストッパ，１３…コイルバネ，１４…支軸，１５…長穴，１５ａ…幅広部，１５ｂ…係合部，１５ｃ…開放部，１６…ガイド片，３０…連動バー，３１…バー本体，３２…ロックピン，３３…係合ピン，３４…駆動ピン，３５…支軸，３６…駆動レバー，３７…長穴，Ｔ…建具，Ｆ…枠体，Ｗ…障子，Ｈ…オペレータハンドル，Ｒ…ロックハンドル，Ａ…ロック装置
【図１】
2015135025.tif 000003
【図２】
2015135025.tif 000004
【図３】
2015135025.tif 000005
【図４】
2015135025.tif 000006